(57)【要約】【課題】本発明は、カム筒の固定筒に対する回動位置を正確に検出でき、しかも、レンズ鏡胴全体の光軸方向の長さが長くなることを抑えることができるレンズ鏡胴の提供を目的とする。【解決手段】固定筒１と、カム筒２と、カム筒２と係合した第１レンズ保持部材４１と、固定筒１に対するカム筒２の回動位置を検出する検出部材６とを備える。検出部材６は、検出部材本体６１と、カム筒２の回動に応じて光軸方向に移動し得るようにカム筒２と係合した係合片６２とを備える。第１レンズ保持部材４１は、この第１レンズ保持部材４１における光軸方向の像側の端面に凹まされるように形成されており、第１レンズ保持部材４１の光軸方向への移動に際して検出部材６を受容する。【選択図】図１
2016142905.tif 000002
【特許請求の範囲】
【請求項１】
固定筒と、前記固定筒に回動自在に保持されたカム筒と、１又は複数のレンズを保持し前記カム筒の回動に応じて光軸方向に移動可能に前記カム筒と係合した第１レンズ保持部材と、前記固定筒に対する前記カム筒の回動位置を検出する検出部材とを備え、
前記検出部材は、前記固定筒に固定された検出部材本体と、前記検出部材本体に移動可能に保持された係合片とを備え、
前記係合片は、前記カム筒の回動に応じて前記光軸方向に移動し得るように前記カム筒と係合し、
前記第１レンズ保持部材は、前記検出部材を受容し得る検出部材受容凹部を備え、
前記検出部材受容凹部は、前記第１レンズ保持部材における前記光軸方向の像側の端面に凹まされるように形成されていることを特徴とするレンズ鏡胴。
【請求項２】
前記固定筒は、筒状の固定筒本体を備え、
前記固定筒本体は、当該固定筒本体の内周と前記カム筒の外周との間に間隙が形成できるように、前記カム筒の外周側に配置され、
前記カム筒は、前記係合片を移動可能に係合する係合片用カム溝を備え、
前記第１レンズ保持部材は、前記カム筒と係合し前記間隙に配置された係合筒を備え、
前記検出部材本体は、前記固定筒本体に固定され、
前記係合片は、前記検出部材本体から前記係合片用カム溝まで前記固定筒本体の径方向内側に延され、
前記検出部材受容凹部は、前記係合片を受容可能に、前記係合筒における前記光軸方向の像側の端面に形成されていることを特徴とする請求項１記載のレンズ鏡胴。
【請求項３】
前記固定筒は、筒状の固定筒本体を備え、
前記固定筒本体は、前記固定筒本体の内周と前記カム筒の外周との間に間隙を形成するように、前記カム筒の外周側に配置され、
前記カム筒は、前記係合片を移動可能に係合する係合片用カム溝を備え、
前記第１レンズ保持部材は、前記カム筒と係合し前記間隙に配置された係合筒を備え、
前記検出部材本体は、前記固定筒本体から前記間隙に突出するように前記固定筒本体に固定され、
前記係合片は、前記検出部材本体から前記係合片用カム溝まで前記固定筒本体の径方向内側に延され、
前記検出部材受容凹部は、前記検出部材本体を受容可能に、前記係合筒における前記光軸方向の像側の端面に形成されていることを特徴とする請求項１記載のレンズ鏡胴。
【請求項４】
前記カム筒は、前記第１レンズ保持部材と移動可能に係合するレンズ保持部材用カム溝を備え、
前記係合片用カム溝は、当該係合片用カム溝に案内されて移動する前記係合片の移動方向と前記レンズ保持部材用カム溝に案内されて移動する前記第１レンズ保持部材の移動方向とが同一方向になるように形成されていることを特徴とする請求項１〜３の何れか一項に記載のレンズ鏡胴。
【請求項５】
前記係合片用カム溝における対向する２つの内側面の何れか一方の内側面に前記係合片を押し付ける付勢部材を、更に備えていることを特徴とする請求項２〜４の何れか一項に記載のレンズ鏡胴。
【請求項６】
前記付勢部材は、トーションばねであることを特徴とする請求項５に記載のレンズ鏡胴。
【請求項７】
前記固定筒と前記検出部材本体との何れか一方は、組付補助ガイド軸を備え、
前記固定筒と前記検出部材本体との何れか他方は、前記組付補助ガイド軸が移動可能に嵌挿する嵌挿部を備え、
前記組付補助ガイド軸は、前記係合片の先端が前記カム筒の外周面よりも径方向外側に位置して前記係合片用カム溝に入り込んでいない状態から前記係合片用カム溝に入り込んだ状態になるまで、前記何れか他方が前記組付補助ガイド軸に沿ってガイドされるように形成されていることを特徴とする請求項２〜６の何れか一項に記載のレンズ鏡胴。
【発明の詳細な説明】
【技術分野】
【０００１】
本発明は、レンズ鏡胴に関するものである。
【背景技術】
【０００２】
近年、デジタルカメラの撮像レンズは高精度な性能が要求される。又、撮像レンズは携行性の点から軽量・コンパクトであることも求められている。特にカメラボディがコンパクトに構成できるミラーレスカメラシステムにおいては、よりコンパクトであることが求められる。
【０００３】
このような撮像レンズを有するレンズ鏡胴が、例えば特許文献１に開示されている。この特許文献１に開示されたレンズ鏡胴は、筒状の固定筒本体及び固定筒本体の内周側に配置された筒状のガイド筒を有する固定筒と、固定筒のガイド筒に光軸方向移動可能に保持されたレンズ保持部材と、レンズ保持部材と移動可能に係合し固定筒本体の径方向における固定筒本体とガイド筒との間に回動自在に配置されたカム筒と、カム筒と連結ピンによる連結部で固定的に連結され固定筒本体の外周に回動自在に保持されたズーム操作環と、固定筒に対するカム筒の回動位置を検出する検出部材とを備えている。又、検出部材は、固定筒本体の外周に固定された検出部材本体と、ズーム操作環と係合した係合片とを備えている。そして、ズーム操作環が回動操作されると、カム筒が回動し、カム筒の回動に応じてレンズ保持部材が光軸方向に移動する。又、ズーム操作環の回動位置を検出部材で検出することによって、ズーム操作環と連結部で連結したカム筒の固定筒に対する回動位置を間接的に検出するようにしている。
【先行技術文献】
【特許文献】
【０００４】
【特許文献１】特開２０１３−２４２３５６号公報
【発明の概要】
【発明が解決しようとする課題】
【０００５】
しかしながら、上記特許文献１では、ズーム操作環の回動位置を検出部材で検出することによって、カム筒の固定筒に対する回動位置を間接的に検出しているため、カム筒とズーム操作環との連結部におけるクリアランスによってバックラッシが生じ、カム筒とズーム操作環との位置がずれる場合がある。その結果、検出部材で検出されるズーム位置に誤差が生じるおそれが高くなる。
【０００６】
又、この場合に、検出部材の係合片とカム筒とを直接係合してカム筒の固定筒に対する回動位置を直接的に検出することが考えられる。しかし、その場合、検出部材が固定筒本体の径方向におけるカム筒と固定筒本体との間に配置されているため、例えばレンズ保持部材の一部を固定筒本体の径方向におけるカム筒と固定筒本体との間に配置した場合には、レンズ保持部材が光軸方向の像側に移動する際にレンズ保持部材の一部が検出部材に干渉するおそれがある。そのため、レンズ保持部材が光軸方向の像側へ移動する際に検出部材に干渉しないように前記像側への移動を制限する必要があり、その結果、レンズ鏡胴全体の光軸方向の長さが長くなってしまい、レンズ鏡胴全体が大型化してしまう。
【０００７】
本発明は、カム筒の固定筒に対する回動位置を正確に検出でき、しかも、レンズ鏡胴全体の光軸方向の長さが長くなることを抑えることができるレンズ鏡胴の提供を目的とする。
【課題を解決するための手段】
【０００８】
本発明の一態様に係るレンズ鏡胴は、固定筒と、前記固定筒に回動自在に保持されたカム筒と、１又は複数のレンズを保持し前記カム筒の回動に応じて光軸方向に移動可能に前記カム筒と係合した第１レンズ保持部材と、前記固定筒に対する前記カム筒の回動位置を検出する検出部材とを備え、前記検出部材は、前記固定筒に固定された検出部材本体と、前記検出部材本体に移動可能に保持された係合片とを備え、前記係合片は、前記カム筒の回動に応じて前記光軸方向に移動し得るように前記カム筒と係合し、前記第１レンズ保持部材は、前記検出部材を受容し得る検出部材受容凹部を備え、前記検出部材受容凹部は、前記第１レンズ保持部材における前記光軸方向の像側の端面に凹まされるように形成されていることを特徴とする。
【０００９】
これによれば、検出部材の係合片がカム筒と直接係合することで誤差を極力少なくして高精度なカム筒の回動位置を検出できる。又、検出部材を受容し得る検出部材受容凹部を光軸方向の像側の端面に備えているため、第１レンズ保持部材が光軸方向の像側への移動に際して検出部材受容凹部が検出部材を受容できる。この結果、検出部材によって光軸方向の像側への第１レンズ保持部材の移動が制限されることがなく、レンズ鏡胴全体の光軸方向の長さが長くなることを抑えることができ、レンズ鏡胴全体がコンパクトになる。
【００１０】
他の一態様では、前記レンズ鏡胴において、前記固定筒は、筒状の固定筒本体を備え、前記固定筒本体は、当該固定筒本体の内周と前記カム筒の外周との間に間隙が形成できるように、前記カム筒の外周側に配置され、前記カム筒は、前記係合片を移動可能に係合する係合片用カム溝を備え、前記第１レンズ保持部材は、前記カム筒と係合し前記間隙に配置された係合筒を備え、前記検出部材本体は、前記固定筒本体に固定され、前記係合片は、前記検出部材本体から前記係合片用カム溝まで前記固定筒本体の径方向内側に延され、前記検出部材受容凹部は、前記係合片を受容可能に、前記係合筒における前記光軸方向の像側の端面に形成されていることを特徴とする。
【００１１】
これによれば、検出部材受容凹部は係合片を受容するため、検出部材受容凹部の大きさが小さく抑えられ、係合筒の強度が低下することを抑えることができる。
【００１２】
他の一態様では、前記レンズ鏡胴において、前記固定筒は、筒状の固定筒本体を備え、前記固定筒本体は、前記固定筒本体の内周と前記カム筒の外周との間に間隙を形成するように、前記カム筒の外周側に配置され、前記カム筒は、前記係合片を移動可能に係合する係合片用カム溝を備え、前記第１レンズ保持部材は、前記カム筒と係合し前記間隙に配置された係合筒を備え、前記検出部材本体は、前記固定筒本体から前記間隙に突出するように前記固定筒本体に固定され、前記係合片は、前記検出部材本体から前記係合片用カム溝まで前記固定筒本体の径方向内側に延され、前記検出部材受容凹部は、前記検出部材本体を受容可能に、前記係合筒における前記光軸方向の像側の端面に形成されていることを特徴とする。
【００１３】
これによれば、検出部材本体の外周が第１レンズ保持部材の係合筒の外周から径方向外側に突出しないように検出部材本体が固定筒本体に固定され易くなり、レンズ鏡胴全体の径方向の大きさが抑えられる。
【００１４】
他の一態様では、前記レンズ鏡胴において、前記カム筒は、前記第１レンズ保持部材と移動可能に係合するレンズ保持部材用カム溝を備え、前記係合片用カム溝は、当該係合片用カム溝に案内されて移動する前記係合片の移動方向と前記レンズ保持部材用カム溝に案内されて移動する前記第１レンズ保持部材の移動方向とが同一方向になるように形成されていることを特徴とする。
【００１５】
これによれば、レンズ保持部材用カム溝の配置に対して係合片用カム溝が形成し易く、係合片用カム溝の配置の自由度が高くなる。
【００１６】
他の一態様では、前記レンズ鏡胴において、前記係合片用カム溝における対向する２つの内側面の何れか一方の内側面に前記係合片を押し付ける付勢部材を、更に備えていることを特徴とする。
【００１７】
これによれば、係合片と係合片用カム溝の内側面とを常時当接状態にでき、高精度なカム筒の回動位置検出が可能となる。
【００１８】
他の一態様では、前記レンズ鏡胴において、前記付勢部材は、トーションばねであることを特徴とする。
【００１９】
これによれば、狭小なスペースにおいてもトーションばねによって係合片を付勢可能にできる。
【００２０】
他の一態様では、前記レンズ鏡胴において、前記固定筒と前記検出部材本体との何れか一方は、組付補助ガイド軸を備え、前記固定筒と前記検出部材本体との何れか他方は、前記組付補助ガイド軸が移動可能に嵌挿する嵌挿部を備え、前記組付補助ガイド軸は、前記係合片の先端が前記カム筒の外周面よりも径方向外側に位置して前記係合片用カム溝に入り込んでいない状態から前記係合片用カム溝に入り込んだ状態になるまで、前記何れか他方が前記組付補助ガイド軸に沿ってガイドされるように形成されていることを特徴とする。
【００２１】
これによれば、例えば組付補助ガイド軸を嵌挿部に入れる。その際に、係合片用カム溝と係合片との位置が合っている場合には、検出部材の重力によって嵌挿部を有する他方が組付補助ガイド軸に沿ってガイドされ係合片が係合片用カム溝に入り込んで係合する。一方、係合片用カム溝と係合片との位置が合っていない場合には、係合片の先端がカム筒の外周面に当接した状態になる。そして、この状態から、カム筒が回動されて係合片用カム溝と係合片との位置が合致すると、検出部材の重力によって嵌挿部を有する他方が組付補助ガイド軸に沿ってガイドされて係合片が係合片用カム溝に入り込んで係合する。
【００２２】
従って、係合片が目視できない場合でも、係合片が係合片用カム溝に容易に入り込んで係合し、係合片と係合片用カム溝とを係合させて組み付ける作業を容易にできる。
【発明の効果】
【００２３】
本発明のレンズ鏡胴は、カム筒の固定筒に対する回動位置を正確に検出でき、しかも、レンズ鏡胴全体の光軸方向の長さが長くなることを抑えることができる。
【図面の簡単な説明】
【００２４】
【図１】本発明の一実施の形態のレンズ鏡胴の断面図である。
【図２】図１のレンズ鏡胴に用いられる固定筒の斜視図である。
【図３】図１のレンズ鏡胴に用いられるカム筒の斜視図である。
【図４】図３のカム筒を展開した状態の平面図である。
【図５】図１のレンズ鏡胴に用いられる第１レンズ保持部材の係合筒の検出部材受容凹部に検出部材が受容された状態の説明図である。
【図６】第１レンズ保持部材が光軸方向の対物側に移動した状態の断面図である。
【図７】図６の状態における第１レンズ保持部材の係合筒の検出部材受容凹部と検出部材との位置関係を示す説明図である。
【図８】（ａ）は、検出部材の斜視図、（ｂ）は、検出部材の係合片が図８（ａ）の状態から移動した状態の斜視図である。
【図９】トーションばねによって検出部材の係合片を付勢した状態の要部の拡大斜視図である。
【図１０】図９の平面図である。
【図１１】図９の状態から検出部材の係合片が係合片用カム溝を移動した状態の平面図である。
【図１２】図９の側面図である。
【図１３】組付補助ガイド軸の先端が嵌挿孔に入った状態の要部拡大斜視図である。
【図１４】図１３の断面図である。
【図１５】図１３の状態から組付補助ガイド軸が更に嵌挿孔に入った状態の要部拡大斜視図である。
【図１６】図１５の断面図である。
【図１７】検出部材の係合片のみが固定筒本体の内周側に突出するように、検出部材本体が固定軸本体部に組付け固定された状態の斜視図である。
【図１８】他の実施形態の検出部材受容凹部を有する第１レンズ保持部材が光軸方向の対物側に移動した状態の固定筒本体を省略した斜視図である。
【図１９】図１８の他の実施形態の検出部材受容凹部に検出部材の係合片が受容された状態の要部の斜視図である。
【図２０】図１８の他の実施形態の検出部材受容凹部に検出部材の係合片が受容された状態の要部の断面図である。
【図２１】図１８の状態から、他の実施形態の検出部材受容凹部を有する第１レンズ保持部材が光軸方向の像側に移動して検出部材受容凹部に検出部材の係合片が受容された状態の固定筒本体を省略した斜視図である。
【発明を実施するための形態】
【００２５】
以下、本発明の実施の形態について、図面を参照しながら詳細に説明する。図１は、本発明の一実施の形態のレンズ鏡胴の断面図である。尚、図のＸ方向を対物側とし、図のＹ方向を像側として説明する。
【００２６】
この実施形態のレンズ鏡胴１００は、固定筒１と、円筒状のカム筒２と、レンズ群３１〜３４を保持したレンズ保持部材４１〜４４と、円筒状のカム筒操作部材５と、検出部材６とを備えている。
【００２７】
固定筒１は、円筒状の固定筒本体１０と、レンズ保持部材４１〜４４を光軸方向に移動可能に保持した円筒状のガイド筒１２とを備えている。
【００２８】
固定筒本体１０は、図２に示すように光軸方向の像側（Ｙ方向側）の端部に、検出部材６を固定する検出部材固定部１０１を備えている。又、固定筒本体１０は、光軸方向の像側の端部に、マウント１１及びガイド筒１２と連結された連結部１０２を備えている。
【００２９】
マウント１１は、図１に示すようにカメラ本体１１０に着脱自在に取り付けられるようになっており、これにより、レンズ鏡胴１００がマウント１１を介してカメラ本体１１０に着脱自在に取り付けられる。
【００３０】
ガイド筒１２は、周方向に等間隔に形成された３つの第１ガイド溝１２１及び３つの第２ガイド溝１２２を備えている（図４参照）。各第１ガイド溝１２１は、光軸方向であるガイド筒１２の軸方向に沿って延ばされている。又、各第２ガイド溝１２２は、第１ガイド溝１２１と周方向に間隔を隔てて第１ガイド溝１２１と平行に形成されている。
【００３１】
そして、このガイド筒１２は、図１に示すように固定筒本体１０の内周側に、固定筒本体１０の内周とガイド筒１２の外周との間に隙間ができるように配置されている。
【００３２】
カム筒２は、図３、図４に示すようにレンズ保持部材４１〜４４と係合するレンズ保持部材用カム溝２１〜２３と、検出部材６と係合する１つの係合片用カム溝２４とを備えている。
【００３３】
レンズ保持部材用カム溝は、最も長さの長い第１レンズ保持部材用カム溝２１と、第２レンズ保持部材用カム溝２２と、第３レンズ保持部材用カム溝２３との形状の異なる３種類のカム溝からなる。
【００３４】
これらの第１レンズ保持部材用カム溝２１、第２レンズ保持部材用カム溝２２、及び第３レンズ保持部材用カム溝２３は、それぞれ、カム筒２の周方向に等間隔に形成された３つからなる。
【００３５】
又、これらの第１レンズ保持部材用カム溝２１、第２レンズ保持部材用カム溝２２、及び第３レンズ保持部材用カム溝２３は、それぞれ、ガイド筒１２のガイド溝１２１に交差するように、カム筒２を展開した図４の状態で、光軸方向に角度を持って形成されている。
【００３６】
係合片用カム溝２４は、第１レンズ保持部材用カム溝２１と同様に、カム筒２を展開した図４の状態で、光軸方向に角度を持って形成されている。
【００３７】
又、この実施形態では、係合片用カム溝２４は、この係合片用カム溝２４に案内されて移動する後述の係合片の移動方向と第１レンズ保持部材用カム溝２１に案内されて移動する第１レンズ保持部材の移動方向とが同一方向になるように形成されている。これにより、第１レンズ保持部材用カム溝２１の配置に対して係合片用カム溝２４が形成し易く、係合片用カム溝２４の配置の自由度が高くなる。
【００３８】
カム筒２は、光軸方向の像側の端部に、カム筒操作部材５と連結する連結軸２５を備えている。連結軸２５は、この実施形態では、カム筒２の周方向に間隔を隔てて形成された２つからなる。各連結軸２５は、カム筒２の外周から径方向外側に突設されている。尚、連結軸２５は、２つに限らず、１つ又は３つ以上でもよい。
【００３９】
このように構成されたカム筒２は、図１に示すように固定筒本体１０の径方向における固定筒本体１０とガイド筒１２との間に、回動自在に配置されている。又、カム筒２は、カム筒２の外周と固定筒本体１０の内周との間に、後述の第１レンズ保持部材４１の係合筒４１２が入るだけの係合筒配設用間隙（間隙）２０ができるように配置されている。
【００４０】
レンズ保持部材４１〜４４は、レンズ群３１〜３４を保持している。この実施形態では、レンズ群は、対物側から像側に順に配置された、第１レンズ群３１、第２レンズ群３２、第３レンズ群３３及び第４レンズ群３４からなる。そして、レンズ保持部材は、第１レンズ群３１を保持した第１レンズ保持部材４１と、第２レンズ群３２を保持した第２レンズ保持部材４２と、第３レンズ群３３を保持した第３レンズ保持部材４３と、第４レンズ群３４を保持した第４レンズ保持部材４４とを備えている。
【００４１】
第１レンズ保持部材４１は、第１レンズ群３１を保持した保持部材本体４１１と、カム筒２に係合された筒状の係合筒４１２とを備えている。
【００４２】
係合筒４１２は、光軸方向の像側の端部に、検出部材６を受容する検出部材受容凹部４１４を備えている。検出部材受容凹部４１４は、後述の検出部材６の検出部材本体６１を受容できるように、周方向に所定長さで係合筒４１２の光軸方向の像側の端面から光軸方向に所定の深さで形成されている。
【００４３】
又、係合筒４１２は、図１に示すように光軸方向の像側の端部に、第１カムフォロア４１３を備えている。そして、この係合筒４１２は、光軸方向の対物側（Ｘ方向側）の端部が保持部材本体４１１に連結されて、係合筒配設用間隙２０に光軸方向移動可能に配置されている。
【００４４】
又、この状態で、図４に示すように第１カムフォロア４１３が第１ガイド溝１２１及び第１レンズ保持部材用カム溝２１に入れられて第１レンズ保持部材用カム溝２１と係合している。
【００４５】
第２レンズ保持部材４２は、図１、図４に示すように第２カムフォロア４２３を備えている。この第２カムフォロア４２３は、第２ガイド溝１２２及び第２レンズ保持部材用カム溝２２に入れられて第２レンズ保持部材用カム溝２２と係合している。
【００４６】
第３レンズ保持部材４３は、第３カムフォロア４３３を備えている。この第３カムフォロア４３３は、第２ガイド溝１２２及び第３レンズ保持部材用カム溝２３に入れられて第３レンズ保持部材用カム溝２３と係合している。
【００４７】
又、第３レンズ保持部材４３は、光軸方向の像側に、第４レンズ保持部材４４を支持するレンズ支持部４３４を備えている。
【００４８】
第４レンズ保持部材４４は、第３レンズ保持部材４３のレンズ支持部４３４に光軸方向に移動可能に支持されている。そして、第３レンズ保持部材４３に設けられた図示しないアクチュエータにより第４レンズ保持部材４４が駆動されることで、フォーカス機能及びズームに際して第３レンズ群３３と相対的に移動することでズームポジションごとの光学性能を維持する機能を有している。
【００４９】
尚、第１レンズ群３１、第２レンズ群３２、第３レンズ群３３及び第４レンズ群３４は、それぞれ、１又は複数のレンズからなる。
【００５０】
次に、カム筒操作部材５について説明する。カム筒操作部材５は、光軸方向の像側に、カム筒２の連結軸２５が嵌挿する連結軸嵌挿部５１を備えている。このように構成されたカム筒操作部材５は、連結軸嵌挿部５１にカム筒２の連結軸２５が嵌挿した状態で、固定筒本体１０の外周に回動自在に保持されており、これにより、カム筒操作部材５の回動に伴ってカム筒２が共に回動するようになっている。
【００５１】
次に、検出部材６について説明する。検出部材６は、この実施形態では、リニアセンサから構成されており、図８に示すように検出部材本体６１と、検出部材本体６１に対して移動する係合片６２とを備えている。
【００５２】
検出部材本体６１は、厚さ方向の一方面に、係合片６２が移動可能に挿通した長溝６１１を備えている。この検出部材本体６１は、長溝６１１における係合片６２の位置に応じて抵抗値が変化するように形成されている。係合片６２は、検出部材本体６１の長溝６１１から所定の長さだけ突出している。
【００５３】
このように形成された検出部材６は、係合片６２が固定筒本体１０の径方向内側を向くとともに、長溝６１１の長手方向が固定筒本体１０の軸方向（光軸方向）に一致するようにして、検出部材本体６１が固定筒本体１０の検出部材固定部１０１に固定ボルト６３によって固定されている。又、検出部材本体６１は、レンズ鏡胴１００に設けられた図示しない制御部に電気的に接続されている。
【００５４】
又、この実施形態では、検出部材本体６１の厚さ方向の他方面が固定筒本体１０の外周よりも径方向内側に所定量だけ沈み込んだ状態で固定され、検出部材本体６１の一方面が係合筒配設用間隙２０に突出している。
【００５５】
又、固定された検出部材６の係合片６２は、カム筒３の係合片用カム溝２４に移動可能に入り込んでカム筒３と係合している。
【００５６】
次に、このレンズ鏡胴１００の動作について説明する。図１に示す広角端の状態から、カム筒操作部材５が一方向側に回動操作されると、それに連結されたカム筒３が一方向側に回動する。このカム筒３の回動に応じて、第１カムフォロア４１３、第２カムフォロア４２３及び第３カムフォロア４３３が、それぞれ、第１レンズ保持部材用カム溝２１、第２レンズ保持部材用カム溝２２、第３レンズ保持部材用カム溝２３のそれぞれに案内されて、第１ガイド溝１２１、第２ガイド溝１２２に沿って光軸方向の対物側に移動し、図６、図７に示すように望遠端の状態になる。
【００５７】
又、このカム筒３の回動に伴い、検出部材６の係合片６２が係合片用カム溝２４に案内されて検出部材本体６１の長溝６１１を、図８（ａ）に示す状態から光軸方向の対物側に移動する（図８（ｂ）参照）。この係合片６２の移動に際し、検出部材本体６１が長溝６１１における係合片６２の位置を検出して制御部に送信する。
【００５８】
これにより、固定筒１に対するカム筒３の回動位置（回動量）が検出部材６によって検出される。その際、検出部材６の係合片６２が係合片用カム溝２４に入り込んでカム筒３と直接係合しているため、カム筒３の回動位置（回動量）を直接的に検出でき、カム筒３の回動位置（回動量）を正確に検出できる。
【００５９】
一方、図６、図７に示す望遠端の状態から、カム筒操作部材５が他方向側に回動操作されると、それに連結されたカム筒３が他方向側に回動し、このカム筒３の回動に応じて、第１カムフォロア４１３、第２カムフォロア４２３及び第３カムフォロア４３３が、それぞれ、第１レンズ保持部材用カム溝２１、第２レンズ保持部材用カム溝２２、第３レンズ保持部材用カム溝２３のそれぞれに案内されて、第１ガイド溝１２１、第２ガイド溝１２２に沿って光軸方向の像側に移動し、図１に示す広角端の状態になる。
【００６０】
その際、第１レンズ保持部材４１が、第１カムフォロア４１３に従って光軸方向の像側に移動していくと、図５に示すように第１レンズ保持部材４１の検出部材受容凹部４１４に検出部材６の検出部材本体６１が相対的に入り込んでいき、図１に示す広角端の状態で検出部材本体６１を含む検出部材６の全体が検出部材受容凹部４１４に受容される。
【００６１】
従って、第１レンズ保持部材４１は、検出部材６と干渉することなく、像側に移動でき、広角端の状態におけるレンズ鏡胴１００の光軸方向の長さが長くなることを抑えることができる。
【００６２】
又、このカム筒３の回動に応じて、検出部材６の係合片６２が係合片用カム溝２４に案内されて検出部材本体６１の長溝６１１を、図８（ｂ）に示す状態から光軸方向の像側に移動する（図８（ｂ）参照）。この係合片６２の移動に際し、検出部材本体６１が長溝６１１における係合片６２を検出して制御部に送信する。
【００６３】
この場合も、検出部材６の係合片６２がカム筒３と直接係合しているため、カム筒３の回動位置（回動量）を直接的に検出でき、カム筒３の回動位置（回動量）を正確に検出できる。
【００６４】
以上のように構成されたレンズ鏡胴１００によれば、検出部材受容凹部は係合筒の光軸方向の一方端面に検出部材本体を受容可能に形成されているため、検出部材本体の外周が第１レンズ保持部材の係合筒の外周から径方向外側に突出しないように検出部材本体が固定筒本体に固定され易くなり、レンズ鏡胴全体の径方向の大きさが抑えられる。
【００６５】
尚、上記実施形態では、検出部材６の係合片６２は、係合片用カム溝２４に入れられているだけであるが、例えば係合片６２を係合片用カム溝２４の内側面に押し付ける付勢部材を設けてもよく、適宜変更できる。
【００６６】
例えば図９〜図１３に示すように、例えばレンズ鏡胴１００は、固定筒本体１０の検出部材固定部１０１に、付勢部材としてのトーションばね７を備えている。トーションばね７は、コイル部７１と、コイル部７１からコイル部７１の径方向に突設された第１突片７２ａ及び第２突片７２ｂとを備えている。
【００６７】
そして、このトーションばね７は、コイル部７１内に、検出部材固定部１０１に設けられた保持軸１０３が入れられることにより検出部材固定部１０１に保持されている。又、第１突片７２ａは、検出部材固定部１０１を区画形成した区画壁面１０１ａに当接し、第２突片７２ｂは、図１０の広角端の状態から図１１の望遠端の状態に至る係合片６２の移動範囲で、係合片６２の像側から当接して係合片６２に対物方向成分力（Ｘ方向成分力）をかけ、これにより、係合片６２が係合片用カム溝２４における対物側の内側面２４ａに常時押し付けられている。
【００６８】
このように構成されることにより、係合片６２と係合片用カム溝２４の内側面２４ａとが常時当接状態になり、高精度なカム筒３の回動位置検出が可能となる。
【００６９】
尚、付勢部材は、トーションばね７から構成されるものに限らず、適宜変更できる。又、付勢部材は、係合片６２を係合片用カム溝２４における対物側の内側面２４ａに押し付ける形態のものに限らず、係合片用カム溝２４における対向する２つの内側面の一方に押し付ければよく、適宜変更できる。
【００７０】
又、固定筒１と検出部材本体６１との何れか一方が組付補助ガイド軸８１を備え、何れか他方が、組付補助ガイド軸８１が嵌挿する嵌挿部８２を備えたものとし、組み付けにおける検出部材６の係合片６２を係合片用カム溝２４に入れて組み付ける際の操作を容易にしてもよい。
【００７１】
詳しくは、例えば図１３〜図１６に示すように、固定筒１の固定筒本体１０は、固定ボルト６３が螺合するネジ孔１０４を備えており、ネジ孔１０４を挟んだ両側に、組付補助ガイド軸８１を更に備えている。一方、検出部材本体６１は、固定ボルト６３が挿通するネジ挿通孔６４を備えており、ネジ挿通孔６４を挟んだ両側に、組付補助ガイド軸８１が嵌挿する嵌挿部としての嵌挿孔６５を備えている。
【００７２】
組付補助ガイド軸８１は、係合片６２の先端６２ａがカム筒２の外周面よりも径方向外側に位置して係合片用カム溝２４に入り込んでいない状態から係合片用カム溝２４に入り込んだ状態になるまで、嵌挿孔６５を有する検出部材本体６１が組付補助ガイド軸８１に沿ってガイドされるように形成されている。
【００７３】
そして、検出部材６の係合片６２が固定筒本体１０の径方向内側を向くようにして、嵌挿孔６５に組付補助ガイド軸８１を入れる。その際、係合片６２とカム筒３の係合片用カム溝２４とが位置合わせできていない場合は、図１３、図１４に示すように、係合片６２の先端６２ａがカム筒３の外周に当接した状態になり、組付補助ガイド軸８１の先端部だけが嵌挿孔６５に入った状態になる。尚、この状態では、固定ボルト６３は、ネジ孔１０４に締め付けられていない。
【００７４】
この状態から、カム筒３を徐々に回動していく。そして、係合片６２とカム筒３の係合片用カム溝２４とが合致すると、検出部材６の自重によって、嵌挿孔６５を有する固定筒本体１０が組付補助ガイド軸８１に沿って移動しながら、係合片６２がカム筒３の係合片用カム溝２４に入り込む。この状態で、固定ボルト６３がネジ孔１０４に締め付けられる。
【００７５】
従って、組み付けに際して、検出部材６の係合片６２及び係合片用カム溝２４が目視できない場合でも、検出部材６の係合片６２を係合片用カム溝２４に容易に入れることができ、組み付け操作を容易に行うことができる。
【００７６】
又、上記実施形態では、第１レンズ保持部材４１の係合筒４１２の検出部材受容凹部は、検出部材６の検出部材本体６１を受容できるように形成されたが、この形態のものに限らず、例えば検出部材受容凹部は、検出部材６の係合片６２だけを受容できるものであってもよく、適宜変更できる。
【００７７】
詳しくは、図１８〜図２０に示すように、検出部材受容凹部４１４ａは、係合筒４１２における光軸方向の像側の端面に、周方向に、係合片６２の外径と同程度の長さで、端面から軸方向に所定の深さで形成されている。
【００７８】
又、検出部材本体６１は、係合筒配設用間隙２０に突出せず、係合片６２だけが係合筒配設用間隙２０に突出した状態で固定筒本体１０に固定されている。
【００７９】
そして、図１９に示す状態から第１レンズ保持部材４１の係合筒４１２が像側に移動すると、図２０、図２１に示すように係合片６２を検出部材受容凹部４１４ａが受容しながら像側に移動し、図１８に示す望遠端の状態になる。
【００８０】
このように構成することにより、検出部材受容凹部４１４ａの大きさを、上述の検出部材本体６１を受容する図７に示す検出部材受容凹部４１４よりも小さくでき、係合筒４１２の強度低下を抑えることができる。
【符号の説明】
【００８１】
１    固定筒
２    カム筒
５    カム筒操作部材
６    検出部材
１０    固定筒本体
１２    ガイド筒
４１    第１レンズ保持部材
４２    第２レンズ保持部材
４３    第３レンズ保持部材
４４    第４レンズ保持部材
４１２    係合筒
４１４、４１４ａ    検出部材受容凹部
【図１】
2016142905.tif 000003
【図２】
2016142905.tif 000004
【図３】
2016142905.tif 000005
【図４】
2016142905.tif 000006
【図５】
2016142905.tif 000007
【図６】
2016142905.tif 000008
【図７】
2016142905.tif 000009
【図８】
2016142905.tif 000010
【図９】
2016142905.tif 000011
【図１０】
2016142905.tif 000012
【図１１】
2016142905.tif 000013
【図１２】
2016142905.tif 000014
【図１３】
2016142905.tif 000015
【図１４】
2016142905.tif 000016
【図１５】
2016142905.tif 000017
【図１６】
2016142905.tif 000018
【図１７】
2016142905.tif 000019
【図１８】
2016142905.tif 000020
【図１９】
2016142905.tif 000021
【図２０】
2016142905.tif 000022
【図２１】
2016142905.tif 000023